(57)【特許請求の範囲】
【請求項１】
三脚を取り付ける雌ねじを備えたハブと、ハブの周囲にねじ軸とほぼ直角に張り出し板面がキャビネット内面に当接する板状体とからなる三脚ねじ部材を設け、キャビネットには前記ハブが嵌合する貫通孔、可撓性を有する逆Ｌ字形の抜け止め舌片、前記板状体の回動方向位置を正確に位置決めする回動方向位置決め片、及び仮位置決めが誘導される立上りリブを設け、前記板状体は、抜け止め舌片が挿入するテーパ孔、回動方向位置決め片が挿入する角孔、立上りリブが嵌合するスリット、及びキャビネットとビスで一体に結合する雌ねじを備えたことを特徴とする三脚ねじ部材。
【発明の詳細な説明】
【０００１】
【発明の属する技術分野】
本発明は、カメラ等の三脚に結合する三脚ねじ部材に関する。
【０００２】
【従来の技術】
従来、三脚ねじ部材は、本体フレームにねじ結合、溶接接合等により直接固定していた。このような三脚ねじ部材は、大きさも大きく、強固に取付ける構造が必要であり、コストアップの原因となっていた。また、本体フレームの外装からねじ締結を行う場合、雄ねじと雌ねじのセンタ位置を合わせることが容易でなく、作業工数上昇の原因となっていた。
【０００３】
接着剤や別部品を使用することなく、部品をカバーに固定する技術として、特開平１１−６８３２８号公報には、内ケースを外装するカバーに表示カードを固定する構造で、カードを保持する窓の外周で弾性爪部を備え、この爪部にカードをはめ込んで仮止めし、ケース及びカバーの間で固定する技術が示されている。
【０００４】
また実開平７−２７１９０号公報には、プリント基板と、上面を開口し側壁にプリント基板を保持する切り起こしと孔を備えた下ケースと、下面を開口し前記孔に係合する爪を備えた上ケースとからなるプリント基板の保持ケースが開示されている。これらは三脚ねじを取り付ける構造ではないが、複雑で組立てに多くの作業工数を要するものである。
【０００５】
【発明が解決しようとする課題】
本発明はできるだけ簡単な構造で必要な強度を確保することができ、作業工数を削減し、コストダウンを図ることができる三脚ねじ部材の構造を提供することを目的とするものである。
【０００６】
【課題を解決するための手段】
本発明は、次の技術手段を講じたことを特徴とする三脚ねじ部材である。すなわち、本発明は、三脚を取り付ける雌ねじを備えたハブと、ハブの周囲にねじ軸とほぼ直角に張り出し板面がキャビネット内面に当接する板状体とからなる三脚ねじ部材を設け、キャビネットには前記ハブが嵌合する貫通孔、可撓性を有する逆Ｌ字形の抜け止め舌片、前記板状体の回動方向位置を正確に位置決めする回動方向位置決め片、及び仮位置決めが誘導される立上りリブを設け、前記板状体は、抜け止め舌片が挿入するテーパ孔、回動方向位置決め片が挿入する角孔、立上りリブが嵌合するスリット、及びキャビネットとビスで一体に結合する雌ねじを備えたことを特徴とする三脚ねじ部材である。ハブは、中核となる円筒形の部材を言い、本発明ではねじ軸を円筒軸と一致させた雌ねじを備えている。抜け止め舌片は、例えば頂端が鈎状をなしてキャビネットから立ち上がった板片とし板状体の孔に入り板状体を仮固定するものである。鈎状の頂端が孔の内面に押されて舌片が弾性的に撓んで孔を通り、通過後、撓みが復元し、鈎が孔の上縁部に係止して抜け止め作用をなす部材である。また、この三脚ねじ部材は、ハブがキャビネットに設けた孔に嵌合して位置決めされ、ハブが孔の中で回動するが、回動方向位置決め片が挿通する孔が設けられており、キャビネットに対して正確に位置決めされる。この状態で、複数のねじでキャビネットの外から固定すると、ねじ中心が一致し、正確な位置に強固に固定することができる。
【０００７】
【発明の実施の形態】
図１〜図３は本発明の実施例の図面である。以下これらの図面を参照して本発明の実施の形態を説明する。図１は本発明の実施例の三脚ねじ部材１０をキャビネット５０に取り付けた平面図、図２は図１のＢ−Ｂ線に沿う三脚ねじ部材１０のＢ−Ｂ矢視断面図、図３は図１のＡ−Ａ矢視断面図である。
【０００８】
本発明の三脚ねじ部材１０は、ハブ１１と板状体２１とからなる。ハブ１１は三脚を取り付ける三脚ねじ（雌ねじ）１２を軸心に備えた円筒状をなしている。このハブ１１はキャビネット５０の底板５１に設けた孔に嵌合して三脚ねじ部材１０の位置決めを行うものである。ハブ１１はキャビネット５０の底板５１を貫通して外に突出している。ハブ１１の周囲に三脚ねじ１２軸とほぼ直角に張り出したハブと一体の板状体２１を備えている。この板状体２１は板面２５がキャビネット５０の底板５１上面に当接するようになっている。板状体２１は、上下貫通孔２２、２３と雌ねじ孔２４を備えている。上下貫通孔２２は、抜け止め用舌片５３が挿通される抜け止め用の孔であり、上下貫通孔２３は回動方向位置決め用の孔である。抜け止め用の貫通孔２２は、キャビネット５０の底板５１から上に立設した逆Ｌ字状の抜け止め用の舌片５３が下から進入する。抜け止め用の貫通孔２２は図２に示すように舌片５３の進入側（板状体２１に底面側）の寸法が大きい内面テーパ２６を有している。三脚ねじ部材１０をキャビネット５０に組み込むとき、舌片５３はこの内面テーパ２６に沿って撓みながら進入し、舌片５３の頂部が貫通孔２２を貫通すると舌片５３は撓みが元に復し、舌片５３の逆Ｌ字状の頂片が貫通孔２２の上縁部に係止して抜け止め作用をなす。回動方向位置決め用の貫通孔２３にはキャビネット５０の底板５１から立設した突起５２が挿入され、三脚ねじ部材１０の位置決めをする。突起５２は図３に示すようにキャビネット５０の底板５１から立上っており、この突起５２は位置決め用の貫通孔２２に嵌入する。ハブ１１はキャビネットの孔に嵌合して位置決めされ、ハブ１１を中心とする板状体２１の回動方向の位置決めは、突起５２と孔２３によって決められ、本発明の三脚ねじ部材は、キャビネットに対して正確な位置に仮固定される。孔２３と突起５２の回動方向の隙間は精密に寸法仕上されている。
【０００９】
なお、図１、図３に示すように板状体の底面に設けられたスリット２６にキャビネット５０に設けられた立上りリブ５４が嵌合し、仮位置決めが誘導されるようになっており、雌ねじ２４にビス締付けて完全固定した後は三脚ねじ部材１０とキャビネット５０が一体化して結合強度を著しく高める用になっている。
【００１０】
以上のように本発明の三脚ねじ部材１０はそれ自身の強度が大でキャビネット５０との取付構造も強固で手間のかからない構造となっており、部品数も少なく溶接等の必要がない。しかも、仮固定状態で正確に位置決めすることができ、脱着しない構造となっている。結局、コストダウンを達成することができる。
【００１１】
【発明の効果】
本発明の三脚ねじ部材は以上のように構成されているので、高い強度を確保することができ、また、簡単な構造であり、組立作業工数を削減し、コストダウンを図ることができるという優れた効果を奏する。
【図面の簡単な説明】
【図１】実施例の三脚ねじ部材をキャビネットに取り付けた状態を示す平面図である。
【図２】図１のＢ−Ｂ矢視断面図である。
【図３】図１のＡ−Ａ矢視断面図である。
【符号の説明】
１０    三脚ねじ部材
１１    ハブ
１２    三脚ねじ（雌ねじ）
２１    板状体
２２、２３    貫通孔
２４    雌ねじ
２５    板面
２６    スリット
５０    キャビネット
５１    底板
５２    位置決め片
５３    舌片
５４    立上りリブ
【図１】
0003961860.tif 000002
【図２】
0003961860.tif 000003
【図３】
0003961860.tif 000004